(57)【要約】【課題】使用時に乾燥空間内で気流が旋回して前面から吹き上げるため、使用者に気流があたり、不快感を与えるという問題を有していた。【解決手段】手を挿入して乾燥をおこなう乾燥室は排水口を有する底面と、奥の面と、両側面と、前面によって凹状に形成し、前記乾燥室の前記前面の略中央部に戻り風を左右に分流する突起形状をした分流壁を設け、手を挿入した際に、手に当たった気流を前記分流壁により分流させ、前記乾燥室の前記両側面方向から排出し、使用者に気流があたるのを防いでいる。【選択図】図１
2006288587.tif 000002
【特許請求の範囲】
【請求項１】
手を挿入して乾燥をおこなう乾燥室および前記乾燥室上方に形成された乾燥空間と、前記乾燥室に向けて温風を噴出するノズルと、前記ノズルから噴出する空気を送出するファンモータとを備え、前記ファンモータを前記乾燥室の下方に設け、前記乾燥室の上方に前記ノズルを配置し、前記乾燥室は排水口を有する底面と、奥の面と、両側面と、前面によって凹状に形成した手乾燥装置にあって、前記乾燥室の前記前面の略中央部に戻り風を左右に分流する突起形状をした分流壁を設け、手を挿入した際に、手に当たった気流を前記分流壁により分流させ、前記乾燥室の前記両側面方向から排出することを特徴とする手乾燥装置。
【請求項２】
前記分流壁を、底面にも設けたことを特徴とする請求項１に記載の手乾燥装置。
【請求項３】
前記分流壁を、奥の面にも設けたことを特徴とする請求項１に記載の手乾燥装置。
【請求項４】
前記分流壁を、底面と奥の面にも設けたことを特徴とする請求項１に記載の手乾燥装置。
【請求項５】
手を挿入して乾燥をおこなう乾燥室および前記乾燥室上方に形成された乾燥空間と、前記乾燥室に向けて温風を噴出するノズルと、前記ノズルから噴出する空気を送出するファンモータとを備え、前記ファンモータを前記乾燥室の下方に設け、前記乾燥室の上方に前記ノズルを配置し、前記乾燥室は排水口を有する底面と、奥の面と、両側面と、前面によって凹状に形成した手乾燥装置にあって、前記前面、底面、奥の面の少なくとも１つの面の略中央部に戻り風を左右に分流する突起形状をした分流壁を設け、手を挿入した際に、手に当たった気流が前記分流壁により分流され、前記乾燥室の前記両側面方向から排出することを特徴とする手乾燥装置。
【請求項６】
前記分流壁は、前記前面、底面、奥の面に設けた前記突起形状の下端部が、上端部よりも広いことを特徴とする請求項１から請求項５のいずれかに記載の手乾燥装置。
【請求項７】
前記分流壁は、略三角柱で、前記乾燥室の前記前面から前記奥の面に向けて、前記略三角柱の先端を突設したことを特徴とする請求項１に記載の手乾燥装置。
【請求項８】
前記乾燥室の内壁側の外縁端部に、下から吹き上げる気流をさえぎり、前面側から奥の面に向けて風を折り返す段差または突起状の防止壁を設けたことを特徴とする請求項１から請求項５のいずれかに記載の手乾燥装置。
【請求項９】
前記段差または突起状の防止壁の先端高さを前記分流壁の先端高さよりも高くしたことを特徴とする請求項８に記載の手乾燥装置。
【発明の詳細な説明】
【技術分野】
【０００１】
本発明は、洗面所やトイレ等で手を洗った場合、濡れた手を乾燥させる手乾燥装置に関する。
【背景技術】
【０００２】
従来、この種の手乾燥装置としては、乾燥空間の上部にファンモータを備え、乾燥空間の上方から空気を吹き出し下部に水受け部を有し、前記水受け部の底面には、中央が高く左右が低い傾斜をした突出壁を設けている。そして、吹出ノズルからの吹出気流を突出壁で左右に分流し、左右に設けられた水抜き穴に水滴を導き、使用者および周囲への水滴の飛散を防止する手乾燥装置が知られている（例えば特許文献１参照）。
【０００３】
また、両面から空気を吹き出す空間に手を挿入して乾燥を行う手乾燥装置が知られている（例えば特許文献２参照）。
【０００４】
また、乾燥空間の上部にファンモータを備え、乾燥空間の上方から空気を吹き出す手乾燥装置が知られている（例えば特許文献２参照）。
【特許文献１】特開平１０−９９２３５号公報
【特許文献２】特開平０５−２９３０５５号公報
【発明の開示】
【発明が解決しようとする課題】
【０００５】
従来の特許文献１に示される手乾燥装置にあっては、手を乾燥させるために、特許文献２のように屈んで手を挿入しなくても、手を前に差し出して乾燥させればよいが、下部の水受け部に溜まった水滴が飛散するのを少なくできる効果はあるものの水受け部が浅いため、水滴の飛散は幾分か残存していた。
【０００６】
本発明のように、乾燥空間が広く、かつ、乾燥空間の下部に位置する乾燥室は、排水口を有する底面と、奥の面と、両側面と、前面によって凹状に形成した手の指が完全に入る程の深さを有したものであるため、底面に溜まった水滴が飛び出して使用者および周囲へ飛散することはほとんどなくなった。
【０００７】
ところが、手の指が完全に入る程の深さを有したものであるため、手を乾燥空間に挿入した際に、吹出ノズルからの吹出気流を突出壁で左右に分流しても、乾燥空間内で気流が旋回して前面から吹き上げるため、使用者に気流があたり、不快感を与えるという問題を有していた。
【０００８】
そこで本発明は、使用時に前面から吹き出す気流を、分流させて側面方向に誘導することで、使用者に気流があたるのを防止して不快感を無くする手乾燥装置の提供を目的とする。
【課題を解決するための手段】
【０００９】
請求項１記載の本発明の手乾燥装置は、手を挿入して乾燥をおこなう乾燥室および前記乾燥室上方に形成された乾燥空間と、前記乾燥室に向けて温風を噴出するノズルと、前記ノズルから噴出する空気を送出するファンモータとを備え、前記ファンモータを前記乾燥室の下方に設け、前記乾燥室の上方に前記ノズルを配置し、前記乾燥室は排水口を有する底面と、奥の面と、両側面と、前面によって凹状に形成した手乾燥装置にあって、前記乾燥室の前記前面の略中央部に戻り風を左右に分流する突起形状をした分流壁を設け、手を挿入した際に、手に当たった気流を前記分流壁により分流させ、前記乾燥室の前記両側面方向から排出することを特徴とする。
【００１０】
請求項２記載の本発明は、請求項１に記載の手乾燥装置において、前記分流壁を、底面にも設けたことを特徴とする。
【００１１】
請求項３記載の本発明は、請求項１に記載の手乾燥装置において、前記分流壁を、奥の面にも設けたことを特徴とする。
【００１２】
請求項４記載の本発明は、請求項１に記載の手乾燥装置において、前記分流壁を、底面と奥の面にも設けたことを特徴とする。
【００１３】
請求項５記載の本発明は、手を挿入して乾燥をおこなう乾燥室および前記乾燥室上方に形成された乾燥空間と、前記乾燥室に向けて温風を噴出するノズルと、前記ノズルから噴出する空気を送出するファンモータとを備え、前記ファンモータを前記乾燥室の下方に設け、前記乾燥室の上方に前記ノズルを配置し、前記乾燥室は排水口を有する底面と、奥の面と、両側面と、前面によって凹状に形成した手乾燥装置にあって、前記前面、底面、奥の面の少なくとも１つの面の略中央部に戻り風を左右に分流する突起形状をした分流壁を設け、手を挿入した際に、手に当たった気流が前記分流壁により分流され、前記乾燥室の前記両側面方向から排出することを特徴とする。
【００１４】
請求項６記載の本発明は、請求項１から請求項５のいずれかに記載の手乾燥装置において、前記分流壁は、前記前面、底面、奥の面に設けた前記突起形状の下端部が、上端部よりも広いことを特徴とする。
【００１５】
請求項７記載の本発明は、請求項１に記載の手乾燥装置において、前記分流壁は、略三角柱で、前記乾燥室の前記前面から前記奥の面に向けて、前記略三角柱の先端を突設したことを特徴とする。
【００１６】
請求項８記載の本発明は、請求項１から請求項５のいずれかに記載の手乾燥装置において、前記乾燥室の内壁側の外縁端部に、下から吹き上げる気流をさえぎり、前面側から奥の面に向けて風を折り返す段差または突起状の防止壁を設けたことを特徴とする。
【００１７】
請求項９記載の本発明は、請求項８に記載の手乾燥装置において、前記段差または突起状の防止壁の先端高さを前記分流壁の先端高さよりも高くしたことを特徴とする。
【発明の効果】
【００１８】
本発明によれば、手の指が完全に入る程の深さを有した乾燥室の内壁面の前面に分流壁を設け、底面からせりあがってくる気流を、前面の分流壁で分流させて側面方向に誘導する構成とすることで、使用者に気流があたるのを防止して不快感を無くすことができる手乾燥装を提供することが可能となる。
【発明を実施するための最良の形態】
【００１９】
本発明の第１の実施の形態による手乾燥装置は、乾燥室および前記乾燥室上方に形成された乾燥空間と、ノズルと、ファンモータとを備え、前記ファンモータを前記乾燥室の下方に設け、前記乾燥室の上方に前記ノズルを配置し、前記乾燥室は排水口を有する底面と、奥の面と、両側面と、前面によって凹状に形成し、前記乾燥室の前記前面の略中央部に戻り風を左右に分流する突起形状をした分流壁を設け、手を挿入した際に、手に当たった気流を前記分流壁により分流させ、前記乾燥室の前記両側面方向から排出するものである。
【００２０】
本実施の形態によれば、手を挿入した際に、手に当たった気流が奥の面から底面に沿って前面にあがってくる際に、前面に設けた分流壁で分流して乾燥室の両側面方向から排出し、使用者に気流があたるのを防いでいる。
【００２１】
本発明の第２の実施の形態は、第１の実施の形態による手乾燥装置において、前記分流壁を、底面にも設けた構成にしたものである。本実施の形態によれば、手を挿入した際に、手に当たった気流が奥の面に沿って流れ、底面に設けた分流壁で最初の分流をし、分流し切れなかったり、乱流したりして前面に流れてきた気流を、前面に設けた分流壁で更に分流して乾燥室の両側面方向から排出し、使用者に気流があたるのを防いでいる。
【００２２】
本発明の第３の実施の形態は、第１の実施の形態による手乾燥装置において、前記分流壁を、前記乾燥室の底面にも設けたものである。本実施の形態によれば、手を挿入した際に、手に当たった気流が奥の面に設けた分流壁で最初の分流をし、分流し切れなかったり、乱流したりして前面に流れてきた気流を、前面に設けた分流壁で更に分流して乾燥室の両側面方向から排出し、使用者に気流があたるのを防いでいる。
【００２３】
本発明の第４の実施の形態は、第１の実施の形態による手乾燥装置において、前記分流壁を、前記乾燥室の奥の面と底面にも設けたものである。本実施の形態によれば、手を挿入した際に、手に当たった気流が奥の面に設けた分流壁で最初の分流をし、そして底面に設けた分流壁で第二の分流をし、分流し切れなかったり、乱流したりして前面に流れてきた気流を、前面に設けた分流壁で更に分流して乾燥室の両側面方向から排出し、使用者に気流があたるのを防いでいる。
【００２４】
本発明の第５の実施の形態は、乾燥室および前記乾燥室上方に形成された乾燥空間と、ノズルと、ファンモータとを備え、前記ファンモータを前記乾燥室の下方に設け、前記乾燥室の上方に前記ノズルを配置し、前記乾燥室は排水口を有する底面と、奥の面と、両側面と、前面によって凹状に形成し、前記前面、底面、奥の面の少なくとも１つの面の略中央部に戻り風を左右に分流する突起形状をした分流壁を設け、手を挿入した際に、手に当たった気流が前記分流壁により分流され、前記乾燥室の前記両側面方向から排出するものである。本実施の形態によれば、手を挿入した際に、手に当たった気流が前記分流壁により分流され、前記乾燥室の前記両側面方向に排出させて、前面から気流を吹き出すことなく、使用者に気流があたるのを防いでいる。
【００２５】
本発明の第６の実施の形態は、第１の実施の形態による手乾燥装置において、前記分流壁は、前記前面、底面、奥の面に設けた前記突起形状の下端部が、上端部よりも広いものである。本実施の形態によれば、手を挿入した際に、手にあたった気流が前記分流壁に衝突した際の抵抗を抑えることができ、スムーズに気流を分流することができる。
【００２６】
本発明の第７の実施の形態は、第１の実施の形態による手乾燥装置において、前記分流壁は、縦向の断面を略三角柱で、前記乾燥室の前記前面から前記奥の面に向けて、略三角柱状の先端を突設したものである。本実施の形態によれば、手を挿入した際に、手にあたった気流が前記分流壁に衝突した際の抵抗を抑えることができ、スムーズに気流を分流することができる。
【００２７】
本発明の第８の実施の形態は、第１の実施の形態から第５の実施の形態のよる手乾燥装置において、前記乾燥室の内壁側の外縁端部に、下から吹き上げる気流をさえぎり、前面側から奥の面に向けて風を折り返す段差または突起状の防止壁を設けたこと構成とする。本実施の形態によれば、底面からせりあがってくる気流を、前面側で反転させる方向に気流を導くため、使用者に気流があたるのを防いでいる。
【００２８】
本発明の第９の実施の形態は、第８の実施の形態による手乾燥装置において、前記突起物の先端は、前記乾燥室の開口端よりも低い位置に形成したものである。本実施の形態によれば、設置状態において突起物が視界に入らないため、使用時の清潔感を高めると共に、使用者が乾燥室に手を挿入した際、突起物が手に触るという不快感をなくすことができる。
【００２９】
以下、本発明の実施の形態について図面を参照しながら説明する。
【００３０】
(実施の形態１)
まず、図１から図３を用いて実施の形態１による手乾燥装置の外観形状について説明する。図１は本発明の実施の形態１による手乾燥装置の斜視図、図２は正面図、図３はＡ−Ａ断面図である。本実施の形態による手乾燥装置は、装置本体の上部に乾燥室１を形成している。乾燥室１は、背面側から前面側に向かって下方に傾斜した外縁部２によって開口部３が形成され、この開口部３の下方に凹状の空間３０を形成している。凹状の空間３０は、排水口５を有する底面６と、奥の面７と、両側面８と、前面９によって構成されている。
【００３１】
乾燥室１の開口部３より上方には板状のノズルカバー１０が設けられ、開口部３、外縁部２およびノズルカバー１０との間に空間３１を形成している。凹状の空間３０と空間３１をあわせて手を挿入する乾燥空間を形成している。
【００３２】
次に、図４を用いて実施の形態１による手乾燥装置の内部構造について説明する。
【００３３】
図４は同装置の側断面図である。乾燥室１の下方には、ＤＣモータを用いたファンモータ１１が設けられ、ファンモータ１１の上方、すなわち乾燥室１の背面側には、ノズルカバー１０に連接されるノズルカバー側通風路１２が形成されている。また、これらの通風路の途中にはヒーター１３を設けている。ノズルカバー１０の背面側下部には、手の挿入を検出する感度センサー１４を設けている。
【００３４】
次に、図５、図６を用いて実施の形態１による手乾燥装置の乾燥室の構造について説明する。図５は乾燥空間に手を挿入した時の風の全体の流れ図、図６は乾燥室の前面側の風の流れ図である。前記乾燥室１の前面９に設けた分流壁２０Ａは、前記前面９の略中央部に位置し、Ｂ方向から見ると、底面６から外縁部２に向けて両側面８に広がる逆三角形である。そして、分流壁２０Ａの略中央部と底面６との交点３１から、両側面８に向かって逆三角形に形成された谷辺３６の先端に位置する外縁部２との交点３３は、前記交点３１から分流壁２０Ａの中央部と外縁部２に向かって形成された山辺３７の先端に位置する交点３２よりも低い位置にある。
【００３５】
上記構成において、手を挿入すると、感度センサー１４が検知し、乾燥室１の下部に設けたファンモータ１１が運転し、ノズルカバー側通風路１２に風を供給する。ノズルカバー側通風路１２に供給された風は、ノズルカバー１０から乾燥室１へ向けて吹き出し、手に当たった風は方向を変え、乾燥室１の奥の面７に衝突し、乾燥室の底面６に向かい、底面６から前面９に向かってせり上がってくる。このとき、前面９に設けた分流壁２０Ａに衝突した風は、分流壁２０Ａの左三角面３４、右三角面３５により左右に分流され、前面右コーナー３３Ａと前面左コーナー３３Ｂより乾燥室の外に出る。これは、風が分流壁２０Ａの山辺３７よりも、突起形状の高さが低い谷辺３６に沿って流れるためである。
【００３６】
これにより、前面側に位置する使用者に戻り風が当たることなく不快感を抱かせることなく手乾燥装置を使用することができる。
【００３７】
(実施の形態２)
図７は手乾燥装置の乾燥空間に手を挿入した時の風の全体の流れ図、図８は乾燥室の前面側の風の流れ図であり、実施の形態２は実施の形態１に対して、乾燥室の底面６の略中央部に突起形状をした分流壁２０Ｂを前面９から奥の面７まで設けている。また、前記分流壁２０Ｂは、突起形状の下端部が上端部よりも広くなっている。そして実施の形態１と同じ部分については同一の符号を用い、それらについての説明を省略する。
【００３８】
上記構成において、手を挿入すると、感度センサー１４が検知し、乾燥室１の下部に設けたファンモータ１１が運転し、ノズルカバー側通風路１２に風を供給する。ノズルカバー側通風路１２に供給された風は、ノズルカバー１０から乾燥室１へ向けて吹き出し、手に当たった風は方向を変え、乾燥室１の奥の面７に衝突し、乾燥室の底面に向かい、分流壁２０Ｂに衝突する。分流壁２０Ｂに衝突した風は最初の分流をし、左右に分流される。分流し切れなかったり、乱流したりして前面に流れてきた気流は、底面６から前面９に向かってせり上がってくる。このとき、前面９に設けた分流壁２０Ａに衝突した風は、分流壁２０Ａの左三角面３４、右三角面３５により更に左右に分流され、前面右コーナー３３Ａと前面左コーナー３３Ｂより乾燥室の外に出る。
【００３９】
これにより、前面側に位置する使用者に戻り風が当たることなく不快感を抱かせることなく手乾燥装置を使用することができる。
【００４０】
(実施の形態３)
図９は手乾燥装置の乾燥空間に手を挿入した時の風の全体の流れ図、図１０は乾燥室の前面側の風の流れ図であり、実施の形態３は実施の形態１に対して、乾燥室の奥の面７の略中央部に突起形状をした分流壁２０Ｃを底面６からノズルカバー１０近傍まで設けている。また、前記分流壁２０Ｃは、突起形状の下端部が上端部よりも広くなっている。そして実施の形態１と同じ部分については同一の符号を用い、それらについての説明を省略する。
【００４１】
上記構成において、手を挿入すると、感度センサー１４が検知し、乾燥室１の下部に設けたファンモータ１１が運転し、ノズルカバー側通風路１２に風を供給する。ノズルカバー側通風路１２に供給された風は、ノズルカバー１０から乾燥室１へ向けて吹き出し、手に当たった風は方向を変え、乾燥室の奥の面に設けた衝突壁２０Ｃに衝突する。分流壁２０Ｃに衝突した風は最初の分流をし、左右に分流される。分流し切れなかったり、乱流したりして前面に流れてきた気流は、乾燥室の底面６に向かい、底面６から前面９に向かってせり上がってくる。このとき、前面９に設けた分流壁２０Ａに衝突した風は、分流壁２０Ａの右三角面３４、左三角面３５により更に左右に分流され、前面右コーナー３３Ａと前面左コーナー３３Ｂより乾燥室の外に出る。
【００４２】
これにより、前面側に位置する使用者に戻り風が当たることなく不快感を抱かせることなく手乾燥装置を使用することができる。
【００４３】
(実施の形態４)
図１１は手乾燥装置の乾燥空間に手を挿入した時の風の全体の流れ図、図１２は乾燥室の前面側の風の流れ図であり、実施の形態３は実施の形態１に対して、分流壁２０Ｂと分流壁２０Ｃを設けている。そして実施の形態１と同じ部分については同一の符号を用い、それらについての説明を省略する。
【００４４】
上記構成において、手を挿入すると、感度センサー１４が検知し、乾燥室１の下部に設けたファンモータ１１が運転し、ノズルカバー側通風路１２に風を供給する。ノズルカバー側通風路１２に供給された風は、ノズルカバー１０から乾燥室１へ向けて吹き出す。つまり、挿入した手に対して上から下へ風を吹き出し、手に衝突し方向を変え、乾燥室の奥の面に設けた衝突壁２０Ｃに衝突する。分流壁に衝突した風は最初の分流をし、左右に分流される。分流し切れなかったり、乱流したりして前面に流れてきた気流は、乾燥室の底面に向かい、分流壁２０Ｂに衝突する。分流壁２０Ｂに衝突した風は第２の分流をし、左右に分流される。分流し切れなかったり、乱流したりして前面に流れてきた気流は、乾燥室の前面に向かい、前面に設けた分流壁２０Ａに衝突し、分流壁の左三角面３４、右三角面３５により更に左右に分流して、前面右コーナー３３Ａと前面左コーナー３３Ｂより乾燥室の外に出る。
【００４５】
これにより、前面側に位置する使用者に戻り風が当たることなく不快感を抱かせることなく手乾燥装置を使用することができる。
【００４６】
(実施の形態５)
図１３および図１４を用いて説明する。
【００４７】
図１３は手乾燥装置の乾燥室の上面図、図１４は乾燥室の側面断面図、及び手乾燥装置の乾燥空間に手を挿入した時の風の全体の流れ図であり、実施の形態５は実施の形態１に対して相違している点を以下に説明する。
【００４８】
乾燥室の内壁面の外縁端部に、下からの吹き上げる気流をさえぎり、風を折り返す突起状の防止壁２１を設けた。防止壁２１は外縁端部に沿って乾燥室１に内に突出する構成となっている。そして、実施の形態１と同じ部分については同一の符号を用い、それらについての説明を省略する。
【００４９】
上記構成において、手を挿入すると、感度センサー１４が検知し、乾燥室１の下部に設けたファンモータ１１が運転し、ノズルカバー側通風路１２に風を供給する。ノズルカバー側通風路１２に供給された風は、ノズルカバー１０から乾燥室１へ向けて吹きつける。つまり、挿入した手に対して上から下へ風を噴出する。ノズルカバー１０から噴出した風は、手に衝突し方向を変え、乾燥室の奥の面に衝突し、乾燥室壁面に沿って前面に向かって流れ、分流壁に衝突する。分流壁に衝突した風は分流壁の逆三角形に沿って左右に分流され、前面の中央部よりも突起形状の高さが低い乾燥室の両側面に向かって流れる。更に防止壁を設けたことにより、防止壁に衝突した風を乾燥室の内側に方向を変えることでより風を前方から出なくする。
【００５０】
これにより、使用者に戻り風が当たることなく不快感を抱かせることなく使用することができる。また、乾燥装置を使用する際に、防止壁を設けたことにより前面に設けた突出部が見えなくなり、使用者に対する圧迫感を無くすことができる。
【００５１】
なお、この防止壁は、乾燥室１の両側面８および前面９に設けられているが、前面９のみに設けてもよい。
【産業上の利用可能性】
【００５２】
本発明の手乾燥装置は、病院の手術室や調理場においても利用可能である。
【図面の簡単な説明】
【００５３】
【図１】本発明の一実施形態の手乾燥装置の斜視図
【図２】同装置の正面図
【図３】同装置のＡ−Ａ断面図
【図４】同装置の側面断面図
【図５】同装置の乾燥空間に手を挿入した時の風の全体の流れ図
【図６】同装置の乾燥室の前面側の風の流れ図
【図７】本発明の一実施形態の乾燥空間に手を挿入した時の風の全体の流れ図
【図８】同装置の乾燥室の前面側の風の流れ図
【図９】本発明の一実施形態の乾燥空間に手を挿入した時の風の全体の流れ図
【図１０】同装置の乾燥室の前面側の風の流れ図
【図１１】本発明の一実施形態の乾燥空間に手を挿入した時の風の全体の流れ図
【図１２】同装置の乾燥空間に手を挿入した時の風の流れ図
【図１３】本発明の一実施形態の手乾燥装置の乾燥室の上面図
【図１４】同装置の側面断面図ならびに乾燥空間に手を挿入した時の風の全体の流れ図
【符号の説明】
【００５４】
１    乾燥室
２    外縁部
３    開口部
５    排水口
６    底面
７    奥の面
８    両側面
９    前面
１０    ノズルカバー
１１    ファンモータ
１２    ノズルカバー側通風路
１３    ヒーター
１４    感度センサー
２０    分流壁
２１    防止壁
３１    分流壁と底面との交点
３２    分流壁の中央部と外縁部との交点
３３    分流壁の両側面側の外縁部との交点
３３Ａ  右コーナー
３３Ｂ  左コーナー
３４    右三角面
３５    左三角面
３６    谷辺
３７    山辺
【図１】
2006288587.tif 000003
【図２】
2006288587.tif 000004
【図３】
2006288587.tif 000005
【図４】
2006288587.tif 000006
【図５】
2006288587.tif 000007
【図６】
2006288587.tif 000008
【図７】
2006288587.tif 000009
【図８】
2006288587.tif 000010
【図９】
2006288587.tif 000011
【図１０】
2006288587.tif 000012
【図１１】
2006288587.tif 000013
【図１２】
2006288587.tif 000014
【図１３】
2006288587.tif 000015
【図１４】
2006288587.tif 000016